【事件の表示】
　特願２００３−４１６８７９号「シャンプー台のピロー」拒絶査定不服審判事件〔平成１７年６月３０日出願公開、特開２００５−１６８９９２号〕について、次のとおり審決する。
【結　論】
　本件審判の請求は、成り立たない。
【理　由】
第１．手続の経緯
　本件に係る出願（以下「本願」という。）は、平成１５年１２月１５日の特許出願であって、平成２１年３月１３日付けで拒絶査定がなされ（発送日：同年３月２４日）、これに対し、同年４月２３日に拒絶査定不服審判の請求がなされ、同年５月２２日付けで手続補正がなされたものである。
　
第２．平成２１年５月２２日付け手続補正についての補正却下の決定
［補正却下の決定の結論］
　平成２１年５月２２日付けの手続補正（以下「本件補正」という。）を却下する。
　
［理由］
１．本件補正発明
　本件補正は、特許請求の範囲の請求項１について、本件補正前に「理美容院に設置されるシャンプー台に取り付けるピローであって、シャンプー台の縁部に形成された凹部及び前記凹部の両側に配置された水平な縁部において、上面、シャンプー台外側及びシャンプー台内側を覆うように軟質材料で一体的に形成し、前記凹部を覆う部分において、シャンプー台内側よりシャンプー台外側が高くなるように形成したことを特徴とする、シャンプー台のピロー。」とあったものを「理美容院に設置されるシャンプー台に取り付けるピローであって、シャンプー台の縁部に形成された凹部及び前記凹部の両側に配置された水平な縁部において、上面、シャンプー台外側及びシャンプー台内側を覆うように軟質材料で一体的に形成し、前記凹部を覆う部分において、シャンプー台内側よりシャンプー台外側が高くなるように形成し
、ピローの内側に、突起部と溝部とを設け、ピローをシャンプー台の凹部に取り付けると、凹部の上面と溝部との間に、突起部で仕切られた空間が形成され、エアクッションが形成された状態になる
　
　上記補正について検討する。 
　本件補正後の特許請求の範囲の請求項１に記載された発明は、ピローについて、「
ピローの内側に、突起部と溝部とを設け、ピローをシャンプー台の凹部に取り付けると、凹部の上面と溝部との間に、突起部で仕切られた空間が形成され、エアクッションが形成された状態になる
　そこで、本件補正後の特許請求の範囲の請求項１に記載された発明（以下「本件補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かについて検討する。 
　
２．刊行物に記載された発明 
(1)原査定の拒絶の理由に引用された、本願出願前に頒布された刊行物である実願平４−２３３２１号（実開平５−８５３０４号）のＣＤ−ＲＯＭ（以下「刊行物１」という。）には、図面と共に次の事項が記載されている。
a)「【請求項１】洗髪台の周縁部の一部をへこませて形成された首のせ凹部にクッション性を備えた本体が装着される洗髪台用首あて具であって、前記本体には放熱部が形成されているとともに、該放熱部に熱を供給する熱供給手段が設けられていることを特徴とする洗髪台用首あて具。」（【実用新案登録請求の範囲】）
b)「【産業上の利用分野】この考案は、洗髪台の周縁部に形成された首のせ凹部に装着されて、被洗髪者の首部を下方から支持する洗髪台用首あて具に関するものである。」（段落【0001】）
c)「【従来の技術】従来から、一般に、ヘアーサロンなどの
美容施設
　被洗髪者は椅子に座り、または寝台の上に仰臥した状態で、首部をこの首のせ凹部にのせ、頭部を洗髪台のシンク内に入れて洗髪されるようになっている。
　ところで、洗髪台は磁器製や硬質樹脂製の一体成形のものが多く用いられており、この種のものでは、首部を首のせ凹部に直接のせると冷たく感じたり、首部に負担がかかる。
　このため、スポンジなどの緩衝材が内装された軟質樹脂製などの洗髪台用首あて具を首のせ凹部に装着し、この洗髪台用首あて具と被洗髪者の首部との間に暖めたタオルを挿入して首部を支持することで、被洗髪者に冷たさを感じさせないようにしたり、被洗髪者の首部周辺が痛くないようにする配慮がなされていることが多い。
　【考案が解決しようとする課題】しかしながら、上記のような首あて具では、洗髪台の硬さや洗髪時の被洗髪者の姿勢などによって被洗髪者にかかる負担を緩和することは可能だが、挿入したタオルが外れてしまったり、タオルが冷めてくるにつれて被洗髪者が冷たさを感じるようになり、被洗髪者が不快感を覚えることがあるという不具合があった。
　この考案は、このような実情を考え合わせて創作されたもので、
被洗髪者が快適な洗髪を受けることのできる洗髪台用首あて具を提供することを目的としている
d)「［第１実施例］図１ないし図４は、この考案の第１実施例を示している。
　図３および図４において、符号１は壁２に取り付けられた洗髪台で、この洗髪台１はシンク３を備え、その周縁部１ａの壁２側部分には、蛇口４、シャワーヘッド５、コック６が設けられている。
　
周縁部１ａの正面側部分のほぼ中央には、凹所が形成されており
首のせ凹部７となっている
　この
首のせ凹部７には、馬鞍形状で軟質樹脂製とされる洗髪台用首あて具
８が装着されている
　首あて具８の本体は、図１および図２に示すように、
洗髪台１の首のせ凹部７に沿って装着可能とされる鞍部９
鞍部９から一体に成形されて被洗髪者の後頭部に位置する枕部１０と、この枕部１０に取り付けられて枕部１０の上面側を覆うように設定された舌片状の放熱部１１とから構成されている
　なお、この放熱部１１は、枕部１０にリベット接合される別体とされているが、枕部１０および鞍部９と一体としてもよい。」（段落【0011】〜【0016】）
e)「【考案の効果】以上、説明したように、この考案によれば、洗髪台の周縁部の一部をへこませて形成された首のせ凹部にクッション性を備えた本体が装着される洗髪台用首あて具であって、その本体には放熱部が形成されているとともに、この放熱部に熱を供給する熱供給手段が設けられているので、被洗髪者が快適な洗髪を受けることのできる洗髪台用首あて具を提供することができる。」（段落【0037】）
f)上記dの記載事項および【図1】（：実施例１に係る洗髪台用首あて具の一部を透視した正面図である。）、【図2】（：同側面図である。）の図示内容によると、鞍部９が
略逆Ｕ字状である
首のせ凹部７を覆う
洗髪台１内側に位置する先端が、洗髪台１外側に位置する部分より低くなるように枕部１０に取り付けられた放熱部１１が
　
　上記a〜eの記載事項、上記fの認定事項および図面の図示内容を総合勘案すると、刊行物１には、次の発明が記載されていると認められる。  
「被洗髪者が快適な洗髪を受けることのできる洗髪台用首あて具を提供することを目的とし、
　美容施設の洗髪台１に装着され、軟質樹脂製とされる洗髪台用首あて具８であって、
　洗髪台１の周縁部１ａの正面側部分のほぼ中央に形成された首のせ凹部７に沿って装着可能とされ、略逆Ｕ字状である鞍部９と、
　鞍部９から一体に成形されて被洗髪者の後頭部に位置し、首のせ凹部７を覆う枕部１０と、
　この枕部１０に取り付けられて、洗髪台１内側に位置するの先端が、洗髪台１外側に位置する部分より低くなるように枕部１０の上面側を覆うように設定された舌片状の放熱部１１から構成される洗髪台用首あて具８。」
　
(2)今回新たに提示された、本願出願前に頒布された刊行物である特開平１０−２９５４３４号公報（以下「刊行物２」という。）には、図面と共に次の事項が記載されている。
g)「【発明の属する技術分野】この発明は、美容院などで使用される業務用の自動洗髪機に関する。また、自動洗髪機に装着されて、被洗髪者の襟首を支持するための支持体に関する。
【従来の技術】従来から、被洗髪者の髪や頭部に温水を自動的に噴射して洗髪を行う自動洗髪機が提案されている。自動洗髪機には、上部が開口されたシンクが通常備えられており、被洗髪者は、顔を上に向けて頭部をシンク内に挿入した状態で、髪や頭部に温水が噴射されて洗髪される。このとき、被洗髪者の頭部は、シンクに形成された開口の周縁部に襟首全体を載せることによって支持されている。
【発明が解決しようとする課題】しかしながら、被洗髪者の襟首全体がシンクの開口周縁部に載せられていると、この開口周縁部で襟足部分が覆われてしまうので、噴射される温水が襟足部分に当たらない。そのため、従来の自動洗髪機においては、自動洗髪動作の終了後に、美容師などが付属のハンドシャワーを用いて襟足部分を手洗いしなければならなかった。
　そこで、この発明の目的は、
自動洗髪機に装着されて、被洗髪者の襟足部分を洗浄できるように襟首を支持する支持体を提供することである
h)「図３は、使用状態におけるシンク３の簡略化された断面図である。シンク３は、底面６６と底面６６の周縁から立ち上がった側壁６７とを有しており、上方が開いた容器状に形成されている。側壁６７の上端周縁は、キャビネット１の上面に形成された入口２の周縁部に連結されている。シンク３の前面壁６７ａの上端縁には、シンク３を前後方向に切断したときの断面形状が逆Ｕ字状の枕部６８が形成されている。また、枕部６８は、図１に示すように、
正面から見た状態で中央部分がその左右部分よりも一段低い凹湾曲面状に形成されている
枕部６８に、被洗髪者の襟首６９を支持するための支持体１６が取り付けられる
　図４は、支持体１６の構成を示す斜視図である。また、図５は、図４のＡ−Ａ断面図であり、図６は、図４のＢ−Ｂ断面図である。図４ないし図６を参照しつつ図３を適宜に参照して、支持体１６は、たとえばシリコンゴムなどの弾力性を有する材料を用いて一体に成形されたものである。
支持体１６は
係止部７１
備えている
　
係止部７１は、全体として鞍状に形成されており、枕部６８の上面形状に沿って凹湾曲面状に形成された載置部７５と、載置部７５の前端縁から下方に垂れ下がった前舌片７６と、載置部７５の後端縁から下方に垂れ下がった後舌片７７とを有している
　図６に示すように、
載置部７５の枕部６８に対向する面には、左右方向の両端付近を除くほぼ全域に凹陥部７８が形成されており、この凹陥部７８内には、左右方向
に延びた突条７９が形成されている。突条７９は、係止部７１が枕部６８に係止されたときに、その先端が枕部６８の上面に当接して、載置部７５を枕部６８の上面から浮かせた状態に支持する。
載置部７５は、シリコンゴムなどの弾性材自体が有する弾力性に加え、突条７９で支持されることによる弾力性を有しているので、被洗髪者の襟首根元付近７０に密着することができる。
　
　上記g、hの記載事項および図面の図示内容を総合勘案すると、刊行物２には、次の発明が記載されていると認められる。  
「自動洗髪機に装着されて、被洗髪者の襟足部分を洗浄できるように襟首を支持する支持体を提供することを目的として、
　正面から見た状態で中央部分がその左右部分よりも一段低い凹湾曲面状に形成されている枕部６８に取り付けられる、被洗髪者の襟首６９を支持するための支持体１６であって、
　支持体１６に備えられる係止部７１は、全体として鞍状に形成されており、枕部６８の上面形状に沿って凹湾曲面状に形成された載置部７５と、載置部７５の前端縁から下方に垂れ下がった前舌片７６と、載置部７５の後端縁から下方に垂れ下がった後舌片７７とを有し、
　載置部７５の枕部６８に対向する面には、左右方向の両端付近を除くほぼ全域に凹陥部７８が形成されており、この凹陥部７８内には、左右方向に延びた突条７９が形成され、
　突条７９は、係止部７１が枕部６８に係止されたときに、その先端が枕部６８の上面に当接して、載置部７５を枕部６８の上面から浮かせた状態に支持し、
　載置部７５は、シリコンゴムなどの弾性材自体が有する弾力性に加え、突条７９で支持されることによる弾力性を有しているので、被洗髪者の襟首根元付近７０に密着することができる支持体１６。」
　
３．対比
　本件補正発明と刊行物１に記載された発明とを対比する。
　刊行物１に記載された発明の「美容施設の洗髪台１に装着され」「る洗髪台用首あて具８」は、その構成および機能からみて、本件補正発明の「理美容院に設置されるシャンプー台に取り付けるピロー」に相当し、以下同様に、
　「洗髪台１の周縁部１ａの正面側部分のほぼ中央に形成された首のせ凹部７に沿って」は「シャンプー台の縁部に形成された凹部」「において」に、
　「首のせ凹部７に沿って装着可能とされ、略逆Ｕ字状である鞍部９」は、鞍部９を構成要素とする洗髪台用首あて具８が軟質樹脂製とされることから、「上面、シャンプー台外側及びシャンプー台内側を覆うように軟質材料で一体的に形成」されるものに、
　「枕部１０に取り付けられて、洗髪台１内側に位置する先端が、洗髪台１外側に位置する部分より低くなるように枕部１０の上面側を覆うように設定された舌片状の放熱部１１から構成される」「洗髪台用首あて具８」は、洗髪台用首あて具８の構成要素である放熱部１１について、枕部１０が首のせ凹部７を覆い、枕部１０の上面側を覆う放熱部１１も、同様に、首のせ凹部７を覆うといえることから、「凹部を覆う部分において、シャンプー台内側よりシャンプー台外側が高くなるように形成」される「シャンプー台のピロー」に、
それぞれ相当する。
　
　したがって、上記両者の一致点および相違点は、次のとおりである。 　
［一致点］
「理美容院に設置されるシャンプー台に取り付けるピローであって、
　シャンプー台の縁部に形成された凹部において、上面、シャンプー台外側及びシャンプー台内側を覆うように軟質材料で一体的に形成し、
　凹部を覆う部分において、シャンプー台内側よりシャンプー台外側が高くなるように形成したシャンプー台のピロー。」
　
［相違点１］
　ピローにより覆われる箇所が、本件補正発明では、シャンプー台の縁部に形成された凹部及び凹部の両側に配置された水平な縁部であるのに対して、刊行物１に記載された発明では、シャンプー台の縁部に形成された凹部のみである点。
　
［相違点２］
　本件補正発明が、ピローの内側に、突起部と溝部とを設け、ピローをシャンプー台の凹部に取り付けると、凹部の上面と溝部との間に、突起部で仕切られた空間が形成され、エアクッションが形成された状態になるのに対して、刊行物１に記載された発明では、当該発明特定事項を具備していない点。
　
４．当審における判断  
(1)相違点１について
　理美容院に設置されるシャンプー台に取り付けるピローの技術分野において、ピローが、シャンプー台の縁部に形成された凹部及び凹部の両側に配置された水平な縁部を覆うことは、本願出願前に周知の技術事項である（例えば、実願昭６３−４５５６６号（実開平１−１４９７１７号）のマイクロフィルムの首支持具5や、実願平３−４５０５６号（実開平５−８８４０３号）のＣＤ−ＲＯＭの首載置部2を参照。以下「周知の技術事項」という。）。
　したがって、刊行物１に記載された発明の洗髪台用首あて具８に、上記周知の技術事項を適用して、ピローがシャンプー台の縁部に形成された凹部及び凹部の両側に配置された水平な縁部を覆うようにすることは、当業者が容易になし得たものである。
　
(2)相違点２について
　本件補正発明と刊行物２に記載された発明とを対比する。
　まず、刊行物２に記載された発明の「襟首を支持する支持体」と本件補正発明の「ピロー」とを対比する。本願明細書の「図４に示すように、ピロー５において、凹部１０を覆う部分の上部中央部は、顧客の頸部に当接させて頸部を支持する頸部支持部１５となっている。」（段落【0014】）なる記載から、本件補正発明の「ピロー」は、頸部を支持する機能を有するものといえる。そうすると、刊行物２に記載された発明の「襟首を支持する支持体」は、頸部を支持する機能を有するという限りにおいて、本件補正発明の「ピロー」に相当し、以下同様に、
　「自動洗髪機」は「シャンプー台」に、
　「凹湾曲面状に形成されている枕部６８」は「凹部」に、
　「載置部７５の枕部６８に対向する面には、左右方向の両端付近を除くほぼ全域に凹陥部７８が形成されており、この凹陥部７８内には、左右方向に延びた突条７９が形成され」ることは、載置部７５が支持体を構成する部材であることから、本件補正発明の「ピローの内側に、突起部と溝部とを設け」ることに、
それぞれ相当する。
　そして、刊行物２に記載された発明の「突条７９は、係止部７１が枕部６８に係止されたときに、その先端が枕部６８の上面に当接して、載置部７５を枕部６８の上面から浮かせた状態に支持」することは、枕部６８の上面と凹陥部７８との間に突条７９により区画された空間部が形成され、この空間部により載置部７５が枕部６８の上面から浮かせた状態に支持され、しかも、載置部７５は、弾力性を有することに加えて、突条７９で支持されることによる弾力性を有するのであるから、結局、載置部７５は、空間部の内部に保持された空気により、エアクッションが形成された状態になるものといえる。
　したがって、刊行物２に記載された発明の「突条７９は、係止部７１が枕部６８に係止されたときに、その先端が枕部６８の上面に当接して、載置部７５を枕部６８の上面から浮かせた状態に支持」することは、本件補正発明の「ピローをシャンプー台の凹部に取り付けると、凹部の上面と溝部との間に、突起部で仕切られた空間が形成され、エアクッションが形成された状態になること」に相当する。
　
　ゆえに、刊行物２に記載された発明は、「シャンプー台に装着されて、被洗髪者の襟足部分を洗浄できるピローを提供することを目的として、凹部に取り付けられるピローであって、ピローの内側に、突起部と溝部とを設け、ピローをシャンプー台の凹部に取り付けると、凹部の上面と溝部との間に、突起部で仕切られた空間が形成され、エアクッションが形成された状態になるピロー。」と言い換えることができる。
　
　よって、刊行物１に記載された発明の洗髪台用首あて具８に、被洗髪者の襟足部分を洗浄できるピローを提供することを目的として、シャンプー台に装着されるピローという同一の技術分野に属する刊行物２に記載された発明を適用して、上記相違点２において、本件補正発明が具備する発明特定事項に到達することは、当業者が容易になし得たものである。
　
(3)小括
　本件補正発明の奏する効果についてみても、刊行物１、２に記載された発明および周知の技術事項から当業者が予測できた効果の範囲内のものである。
　ゆえに、本件補正発明は、刊行物１、２に記載された発明および周知の技術事項に基づいて当業者が容易に想到し得たものである。  
　よって、本件補正発明は、刊行物１、２に記載された発明および周知の技術事項に基づいて当業者が容易に発明をすることができたものであるから、特許法第２９条第２項の規定により、特許出願の際独立して特許を受けることができないものである。　  
 　  
５．まとめ
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。  
 　 
第３．本願発明について  
１．本願発明  
　平成２１年５月２２日付け手続補正は上記のとおり却下されたので、本願の請求項１に係る発明（以下「本願発明」という。）は、出願当初の特許請求の範囲の請求項１に記載された事項により特定される次のとおりのものである。  
「理美容院に設置されるシャンプー台に取り付けるピローであって、
　シャンプー台の縁部に形成された凹部及び前記凹部の両側に配置された水平な縁部において、上面、シャンプー台外側及びシャンプー台内側を覆うように軟質材料で一体的に形成し、
　前記凹部を覆う部分において、シャンプー台内側よりシャンプー台外側が高くなるように形成したことを特徴とする、シャンプー台のピロー。」
　
２．刊行物
　原査定の拒絶の理由に引用した刊行物１、刊行物１に記載された発明は、前記「第２．［理由］２．(1)」に記載したとおりである。
 　 
３．対比
　本願発明と刊行物１に記載された発明とを対比する。
　前記「第２．［理由］３．対比」したように、上記両者の一致点および相違点は、次のとおりである。 　
［一致点］
「理美容院に設置されるシャンプー台に取り付けるピローであって、
　シャンプー台の縁部に形成された凹部において、上面、シャンプー台外側及びシャンプー台内側を覆うように軟質材料で一体的に形成し、
　凹部を覆う部分において、シャンプー台内側よりシャンプー台外側が高くなるように形成したシャンプー台のピロー。」
　
［相違点］
　ピローにより覆われる箇所が、本願発明では、シャンプー台の縁部に形成された凹部及び凹部の両側に配置された水平な縁部であるのに対して、刊行物１に記載された発明では、シャンプー台の縁部に形成された凹部のみである点。
　
４．当審における判断
　前記「第２．［理由］４．当審における判断」したように、刊行物１に記載された発明の洗髪台用首あて具８に、前記周知の技術事項を適用して、ピローがシャンプー台の縁部に形成された凹部及び凹部の両側に配置された水平な縁部を覆うようにすることは、当業者が容易になし得たものである。
　本願発明の奏する効果についてみても、刊行物１に記載された発明および周知の技術事項から当業者が予測できた効果の範囲内のものである。
　したがって、本願発明は、刊行物１に記載された発明および周知の技術事項に基づいて当業者が容易に発明をすることができたものである。 
 　 
４．むすび  
　以上のとおりであるから、本願発明は、刊行物１に記載された発明および周知の技術事項に基づいて当業者が容易に発明をすることができたものであり、特許法第２９条第２項の規定により特許を受けることができない。 
　ゆえに、他の請求項について検討するまでもなく、本願は拒絶すべきものである。
　
　よって、結論のとおり審決する。